【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
画像形成装置の装置本体に着脱可能なカートリッジにおいて、
枠体と、
前記枠体に回転可能に支持される現像ローラと、
前記カートリッジが前記装置本体に装着される際に前記装置本体によってガイドされるように構成されたガイド部材であって、前記カートリッジの一方側に配置され、前記枠体に対して第１の位置と第２の位置と、の間を回転可能なガイド部材と、
前記ガイド部材に作用可能な規制レバーであって、前記枠体に対する前記ガイド部材の移動を規制するための規制位置と、前記枠体に対する前記ガイド部材の移動を規制しない非規制位置と、の間を移動可能な規制レバーと、
前記非規制位置から前記規制位置に向かって前記規制レバーを付勢するためのバネと、を有するカートリッジ。
【請求項２】
前記規制レバーが前記規制位置と前記非規制位置の間を移動する際に、前記規制レバーの先端は、軸線を中心に部分的に回転する請求項１に記載のカートリッジ。
【請求項３】
前記規制レバーの前記軸線の方向は、前記ガイド部材の軸線の方向と交差する請求項２に記載のカートリッジ。
【請求項４】
前記規制レバーが前記規制位置に位置する際の方が、前記規制レバーが前記非規制位置に位置する際よりも前記規制レバーの先端は前記枠体から遠ざかる請求項１乃至３のいずれか１項に記載のカートリッジ。
【請求項５】
前記カートリッジは、
前記現像ローラを回転するための力を受けるため、前記カートリッジの他方側に配置されたカップリング部材を有し、
前記カップリング部材が配置された前記他方側は、前記ガイド部材が配置された前記一方側とは反対側である請求項１乃至４のいずれか１項に記載のカートリッジ。
【請求項６】
前記バネは、ねじりコイルバネである請求項１乃至５のいずれか１項に記載のカートリッジ。
【請求項７】
前記カートリッジは、回転可能な第２のガイド部材をさらに有する請求項１乃至６のいずれか１項に記載のカートリッジ。
【請求項８】
前記第２のガイド部材は、前記カートリッジの他方側に配置され、
前記第２のガイド部材が配置された前記他方側は、前記ガイド部材が配置された前記一方側とは反対側である請求項７に記載のカートリッジ。
【請求項９】
前記カートリッジは更に、前記第２のガイド部材を付勢するための第２のバネを有する請求項７又は８に記載のカートリッジ。
【請求項１０】
画像形成装置において、
前記画像形成装置の装置本体と、
請求項１乃至９のいずれか１項に記載のカートリッジと、
を有する画像形成装置。
【請求項１１】
カートリッジにおいて、
現像剤を担持するための現像ローラと、
前記現像ローラが軸線Ｘを中心に回転可能になるように前記現像ローラを支持するための枠体と、
前記枠体に対して移動可能な移動部材であって、前記移動部材の端部が軸線Ｙを中心に部分的に回転し得るように、軸線Ｘの方向における前記枠体の一方側に配置された移動部材と、
前記移動部材の移動を規制するための第１の位置と、前記移動部材の移動を規制しない第２の位置と、に移動可能な規制部材と、
規制部材を前記第２の位置から前記第１の位置に向けて付勢するためのバネと、
を有し、
前記規制部材が前記第１の位置から前記第２の位置へ移動する際に、前記移動部材の端部は軸線Ｚを中心に部分的に回転し、
前記軸線Ｙの方向と前記軸線Ｚの方向は交差するカートリッジ。
【請求項１２】
前記バネは、ねじりコイルバネである請求項１１に記載のカートリッジ。
【請求項１３】
前記カートリッジは、
前記枠体に対して移動可能な第２の移動部材と、
前記第２の移動部材を付勢する第２のバネと、
を有する請求項１１又は１２に記載のカートリッジ。
【請求項１４】
前記第２の移動部材は、前記枠体の他方側に配置され、
前記枠体の前記他方側は、前記移動部材が配置された前記一方側とは反対側である請求項１３に記載のカートリッジ。
【請求項１５】
前記現像ローラを回転するための力を受けるべく、第２枠体の他方側に配置されたカップリング部材を有し、
前記軸線Ｘの方向において、前記カップリング部材が配置された前記他方側は前記移動部材が配置された前記一方側の反対側である請求項１１乃至１４のいずれか１項に記載のカートリッジ。
【請求項１６】
画像形成装置において、
前記画像形成装置の装置本体と、
請求項１１乃至１５のいずれか１項に記載されたカートリッジと、
を有し、
前記カートリッジは前記装置本体に装着可能であって、
前記移動部材は、前記装置本体に接触可能な面を備える画像形成装置。
【請求項１７】
前記装置本体は、装置本体側ガイド部材を有し、
前記移動部材の表面は、前記装置本体側ガイド部材と接触可能である請求項１６に記載の画像形成装置。
【請求項１８】
前記規制部材は被押圧部を備え、前記被押圧部は前記規制部材が前記第１の位置から前記第２の位置へ移動するように前記装置本体に押圧されるように構成されている請求項１７に記載の画像形成装置。
【請求項１９】
画像形成装置において、
前記画像形成装置の装置本体と、
請求項１３に記載のカートリッジと、
を有し、
前記カートリッジは、前記装置本体に装着可能であって、
前記規制部材および前記第２の移動部材はそれぞれ被押圧面を有し、
前記規制部材の先端および前記第２の移動部材の先端がそれぞれ部分的に回転するように、前記規制部材の被押圧面および前記第２の移動部材の被押圧面は、前記装置本体によって押圧されるように構成されている画像形成装置。
【請求項２０】
前記第２の移動部材は、前記カートリッジが前記装置本体に挿入される方向において前記カートリッジの下流側に配置されている請求項１９に記載の画像形成装置。
【手続補正２】
【補正対象書類名】明細書
【補正対象項目名】発明の名称
【補正方法】変更
【補正の内容】
【発明の名称】カートリッジおよび画像形成装置
【手続補正３】
【補正対象書類名】明細書
【補正対象項目名】０００８
【補正方法】変更
【補正の内容】
【０００８】
本発明の目的は、カートリッジの一方側に設けられた移動部材またはガイド部材の回転を規制したり、その規制を解除したりするための構成を提供することである。
【手続補正４】
【補正対象書類名】明細書
【補正対象項目名】０００９
【補正方法】変更
【補正の内容】
【０００９】
上記目的を達成するために、本発明の代表的な構成は
画像形成装置の装置本体に着脱可能なカートリッジにおいて、
枠体と、
前記枠体に回転可能に支持される現像ローラと、
前記カートリッジが前記装置本体に装着される際に前記装置本体によってガイドされるように構成されたガイド部材であって、前記カートリッジの一方側に配置され、前記枠体に対して第１の位置と第２の位置と、の間を回転可能なガイド部材と、
前記ガイド部材に作用可能な規制レバーであって、前記枠体に対する前記ガイド部材の移動を規制するための規制位置と、前記枠体に対する前記ガイド部材の移動を規制しない非規制位置と、の間を移動可能な規制レバーと、
前記非規制位置から前記規制位置に向かって前記規制レバーを付勢するためのバネと、を有するカートリッジである。
【手続補正５】
【補正対象書類名】明細書
【補正対象項目名】００１０
【補正方法】変更
【補正の内容】
【００１０】
また、上記目的を達成するために、本発明の別の構成は
カートリッジにおいて、
現像剤を担持するための現像ローラと、
前記現像ローラが軸線Ｘを中心に回転可能になるように前記現像ローラを支持するための枠体と、
前記枠体に対して移動可能な移動部材であって、前記移動部材の端部が軸線Ｙを中心に部分的に回転し得るように、軸線Ｘの方向における前記枠体の一方側に配置された移動部材と、
前記移動部材の移動を規制するための第１の位置と、前記移動部材の移動を規制しない第２の位置と、に移動可能な規制部材と、
規制部材を前記第２の位置から前記第１の位置に向けて付勢するためのバネと、
を有し、
前記規制部材が前記第１の位置から前記第２の位置へ移動する際に、前記移動部材の端部は軸線Ｚを中心に部分的に回転し、
前記軸線Ｙの方向と前記軸線Ｚの方向は交差するカートリッジである。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明は、カートリッジの一方側に設けられた移動部材またはガイド部材の回転を規制したり、その規制を解除したりすることができる。
【手続補正８】
【補正対象書類名】明細書
【補正対象項目名】００２９
【補正方法】変更
【補正の内容】
【００２９】
また、現像ギア２９とトナー供給ギア３０の外側には、ギアカバー２０が設けられている。すなわち、ギアカバー２０は現像枠体３１の一部としてのギアカバー２０である。ここで、以上で説明した現像枠体３１の構成を現像ユニット３９とする。現像枠体３１の現像ローラ２５の軸線方向の両端部（すなわち一端部と他端部）には、手前側端部部材３７（一端側端部部材または第一の端部部材に対応）と奥側端部部材３８（他端側端部部材または第二の端部部材に対応）が設けられている。すなわち、現像ローラ２５の軸線方向における現像ユニット３９の両端部の一端側には手前側端部部材３７が設けられている。また、現像ローラ２５の軸線方向における現像ユニット３９の両端部の他端側には奥側端部部材３８が設けられている。奥側端部部材３８には、現像奥軸受１３に設けられた奥側の支持軸としてのボス１３ａ（他端側係合部に対応）と係合する奥側の被支持穴としての吊り穴３８ａ（他端側被係合部に対応）が設けられている。また、手前側端部部材３７には、ギアカバー２０に設けられた手前側の支持軸としてのボス２０ａ（一端側係合部に対応）と係合する手前側の被支持穴としての吊り穴３７ａ（一端側被係合部に対応）が設けられている。なお、ボス２０ａは、ギアカバー２０から手前側端部部材３７の方向に突出して設けられている。移動部材（ガイド部材）である手前側端部部材３７及び奥側端部部材３８は、現像奥軸受１３のボス１３ａ及びギアカバー２０のボス２０ａを結んだ軸Ｙ（回転中心軸線に対応）に対し回転可能に取り付けられている。すなわち、手前側端部部材３７と奥側端部部材３８は、現像奥軸受１３におけるボス１３ａと、ギアカバー２０におけるボス２０ａとを通過する回転中心軸線Ｙ（端部回転中心軸線に対応する）を中心に回転可能に取り付けられている。この回転中心軸線Ｙは、現像ローラ２５の軸線方向に延びている。回転中心軸線Ｙは、現像ローラ２５の軸線方向と平行な方向が好ましい。また、本実施例では、ボス１３ａとボス２０ａは同心としたため、回転中心軸線Ｙは奥側と手前側とで一致する。よって現像ユニット３９は、ボス１３ａとボス２０ａとを結ぶ一つの回転中心軸線Ｙを中心として、回動可能となる。さらに、手前側端部部材３７は、現像ユニット３９の現像ローラ２５の軸線方向における一端側を回動可能に支持しており、一方で現像ユニット３９の現像ローラ２５の軸線方向における他端側は支持していないように構成されている。奥側端部部材３８は、現像ユニット３９の現像ローラ２５の軸線方向における他端側を回動可能に支持しており、一方で現像ユニット３９の現像ローラ２５の軸線方向における一端側は支持していないように構成されている。すなわち、手前側端部部材３７と奥側端部部材３８は、現像ローラ２５の軸線方向において、現像枠体３１の一端側または他端側のいずれか一方を支持し、現像枠体３１の一端側または他端側の他方を支持しないように構成されている。また、本実施例では、手前側端部部材３７と奥側端部部材３８は、現像枠体３１に対してそれぞれ独立して回転自在となっている。すなわち、図に示すように、手前側端部部材３７は、現像枠体３１と、奥側端部部材３８に対して回転可能となっている。奥側端部部材３８は、現像枠体３１と、手前側端部部材３７に対して回転可能となっている。言い換えると、手前側端部部材３７が現像枠体３１に対して回転する時、奥側端部部材３８は、現像枠体３１と手前側端部部材３７に対して停止していることができる。また、奥側端部部材３８が現像枠体３１に対して回転する時、手前側端部部材３７は、現像枠体３１と奥側端部部材３８に対して停止していることができる。なお、本実施例において、現像枠体３１は、手前側端部部材３７に対して複数の位置を取る。そして、その複数の位置うちの一つの位置は、記録媒体Ｓにトナーで画像を形成する現像位置である。
【手続補正９】
【補正対象書類名】明細書
【補正対象項目名】００３３
【補正方法】変更
【補正の内容】
【００３３】
具体的には、図７に示すように、カートリッジ側のガイド部材である手前側端部部材３７には、画像形成装置１００の装置本体に設けられた第一のガイド部としての本体装着上ガイド部１０５にガイドされる第三の被ガイド部としての被ガイド部３７ｋ（一端側被ガイド部にも対応）が設けられている。また、手前側端部部材３７には、画像形成装置１００の装置本体に設けられた第二のガイド部としての本体装着下ガイド部１０４にガイドされる第四の被ガイド部としての被ガイド部３７ｈ（一端側被ガイド部にも対応）が設けられている。一方、カートリッジ側の別のガイド部材である奥側端部部材３８には、第一ガイド部としての本体装着上ガイド部１０５にガイドされる第一の被ガイド部としての被ガイド部３８ｍ（他端側被ガイド部にも対応）が設けられる。また、奥側端部部材３８には、第二ガイド部としての本体装着下ガイド部１０４にガイドされる第二の被ガイド部としての被ガイド部３８ｎ（他端側被ガイド部にも対応）が設けられている。そして、被ガイド部３７ｋと被ガイド部３８ｍとが本体装着上ガイド部１０５にガイドされ、被ガイド部３７ｈと被ガイド部３８ｎとが本体装着下ガイド部１０４にガイドされる。これにより、現像カートリッジ４を挿入する際に、画像形成装置１００の装置本体に対して現像カートリッジ４がガイドされる。図に示すように、本実施例においては、奥側端部部材３８を、挿入方向の下流側にして挿入される。すなわち、挿入方向において、奥側端部部材３８は、手前側端部部材３７の下流側に配置される。言い換えると、奥側端部部材３８は、現像枠体に対して挿入方向の下流側に配置され、手前側端部部材３７は、現像枠体３１に対して挿入方向の上流側に配置される。
【手続補正１０】
【補正対象書類名】明細書
【補正対象項目名】００４０
【補正方法】変更
【補正の内容】
【００４０】
＜手前側端部部材の構成＞
次に、図１、図７、図１０を用いて、手前側端部部材３７の構成について説明する。図１は、手前側端部部材３７と手前側規制部材（規制レバー）６０の構成を説明する図である。図１０は、画像形成装置１００に現像カートリッジ４が装着された状態における現像カートリッジ４を示す図である。図１は、図１０に示す現像カートリッジ４をＧ方向から見た図である。図１（ａ）は、画像形成装置１００に現像カートリッジ４が装着される途中の状態を示す図であり、図１（ｂ）は、現像カートリッジ４の画像形成装置１００への装着が完了した状態を示す図である。